(57)【要約】【課題】位相差板部を内蔵でき、軽量小型で、かつ、格子方向と入射偏光方向とのなす角度に制約がなく、工業的生産が可能で高い光利用効率を有する回折素子を提供する。【解決手段】位相差を有する水晶の透明基板２０を使用し、その上に高分子液晶の複屈折性膜２４を形成し、フォトリソグラフィ法とドライエッチング法により高分子液晶膜に周期的な格子２７を形成し、形成された格子の凹凸部を等方性材料２８で充填することで高い光利用効率を有する回折素子を実現した。【選択図】図１
2007179069.tif 000002
【特許請求の範囲】
【請求項１】
透明基板と、透明基板上に形成された、複屈折性膜の断面が凹凸状の格子と、前記格子の凹部に充填された、屈折率が前記複屈折性膜の常光屈折率または異常光屈折率とほぼ等しい屈折率を有する等方性材料とを備えることを特徴とする回折素子。
【請求項２】
複屈折性膜に、屈折率楕円体の屈折率長軸方向に対して平行でも垂直でもない方向に前記格子が形成されている請求項１記載の回折素子。
【請求項３】
複屈折性膜が、高分子液晶で形成されている請求項１または２記載の回折素子。
【請求項４】
透明基板が、光学的な位相差を有する透明基板、または、位相差膜を形成されている透明基板である請求項１、２または３記載の回折素子。
【請求項５】
回折素子の少なくとも一方の面における有効径内の少なくとも一部分に、波長が異なる２種類の光に対してそれぞれ異なる透過率を示す波長選択性の開口径制限部を一体的に備える請求項１、２、３または４記載の回折素子。
【発明の詳細な説明】
【技術分野】
【０００１】
本発明は、ＣＤ、ＣＤ−ＲＯＭ、ビデオディスクなどの光ディスクおよび光磁気ディスクなどに光学的情報を書き込んだり、光学的情報を読み取るための光ヘッド装置に使用する回折素子に関する。
【背景技術】
【０００２】
光ディスクおよび光磁気ディスクなどの光記録媒体に光学的情報を書き込んだり、光記録媒体から光学的情報を読み取ったりするのに光ヘッド装置が用いられる。光ヘッド装置は、ディスク状の光記録媒体の記録面から反射された信号光を光検出部へ導光（ビームスプリット）するための光学部品を備えている。この光学部品としては、従来、回折素子またはホログラム素子を用いたものと、プリズム式ビームスプリッタを用いたものとが知られていた。
【０００３】
光ヘッド装置用の従来の回折素子またはホログラム素子は、ガラスやプラスチックの基板上に、矩形の断面を有するレリーフ状の格子をドライエッチング法または射出成形法よって形成したものであり、格子で光を回折しビームスプリット機能を付与していた。
【０００４】
これらの回折素子またはホログラム素子のうち、ドライエッチング法を用いるものの例を図４に示す。下面側に低反射コート１を施されたガラス基板２そのものの上面、または、ガラス基板２上に蒸着法やスパッタ法などの真空プロセスを用いて成膜されたＳｉＯ2 などの無機薄膜３の上面に、フォトリソグラフィにより、格子状のフォトレジストマスクを作製し、この状態で、ドライエッチングを行って無機薄膜３の部分に無機薄膜３の格子である無機格子４を形成し、さらに、無機格子４の上に残存しているフォトレジストを除去してから、低反射コート５を施すことにより回折素子を作成し、偏光無依存型の等方性回折素子として使用する。
【０００５】
このような等方性回折素子における光の利用効率は１０％程度と低く、光の利用効率を１０％よりも上げようとする場合には、偏光を利用することが考えられる。
【０００６】
そこで、偏光を利用した光利用効率の高いホログラム（回折素子）を備えた光ヘッド装置が特許文献１に提案されている。この提案の偏光性回折素子は図５のものである。まず、ガラス基板６上に、後述する液晶７などの複屈折性材料の常光屈折率または異常光屈折率とほぼ等しい屈折率を有する無機系の等方性薄膜８を成膜し、つぎに、フォトリソグラフィにより、等方性薄膜８の上に、格子状のフォトレジストマスクを作製し、この状態で、ドライエッチングを行って無機格子９を形成し、さらに、無機格子９の上に残存したフォトレジストを除去してから、配向膜１０を塗布焼成して配向処理を施した後、同様の配向処理を実施した配向膜１１を有する対向基板１２を向かい合わせるとともに、シール材１３を介在させて熱圧着し、内部に液晶７などの複屈折性材料を充填し封止することにより回折素子部１４を形成し、さらに、ガラス基板６の下面側に有機系位相差フィルム１５を貼り付けたガラス基板１６を挟み込むように取り付けて位相差板部１７を形成し、両面に低反射コート１８、１９を施す。
【０００７】
【特許文献１】特開平９−１８０２３６号公報
【発明の開示】
【発明が解決しようとする課題】
【０００８】
上記図５の偏光性の回折素子の場合に、通常の液晶７は、格子における凹凸部の延長方向、すなわち、格子方向に沿って配向されるため、格子方向と直交する偏光に対しては液晶７の常光屈折率が対応し、格子方向と平行な偏光に対しては液晶７の異常光屈折率が対応する。したがって、上記光ヘッド装置では、入射光の偏光方向に対して格子方向は、平行または垂直のいずれかとなり、かつ、回折素子部１４内でほぼ一様な方向であるという制約があった。
【０００９】
また、液晶７を封入するのに、ガラス基板６と対向基板１２とシール材１３が必要となるため、有効径に対して素子サイズ上の問題となっていた。さらに、偏光切り替えのための位相差板部１７を合わせ持つ回折素子において、位相差板部１７に安価な有機系位相差フィルム１５を用いる場合には、有機系位相差フィルム１５単体が持つ透過波面歪みや、回折素子部１４に充填する液晶７との反応に対する信頼性が問題となり、これを解消するためにガラスが３枚必要となり、回折素子の薄型化、軽量化上の問題となっていた。
【００１０】
本発明は、上述の各問題を解決し、位相差板を内蔵でき、軽量小型で、かつ、格子方向と入射偏光方向とのなす角度に制約がなく、工業的生産が可能で高い光利用効率を有する回折素子を提供することを目的とする。
【課題を解決するための手段】
【００１１】
本発明は、透明基板と、透明基板上に形成された、複屈折性膜の断面が凹凸状の格子と、前記格子の凹部に充填された、屈折率が前記複屈折性膜の常光屈折率または異常光屈折率とほぼ等しい屈折率を有する等方性材料とを備えることを特徴とする回折素子を提供する。
【００１２】
また、複屈折性膜に、屈折率楕円体の屈折率長軸方向に対して平行でも垂直でもない方向に前記格子が形成されている上記回折素子を提供する。
また、複屈折性膜が、高分子液晶で形成されている上記回折素子を提供する。
また、透明基板が、光学的な位相差を有する透明基板、または、位相差膜を形成されている透明基板である上記回折素子を提供する。
【００１３】
また、回折素子の少なくとも一方の面における有効径内の少なくとも一部分に、波長が異なる２種類の光に対してそれぞれ異なる透過率を示す波長選択性の開口径制限部を一体的に備える上記回折素子を提供する。
【発明を実施するための最良の形態】
【００１４】
本発明においては、水晶基板などの光学的な位相差を有する基板、または、位相差膜を形成されたガラス基板などの透明基板上に、一様に配向した光硬化性を有する高分子液晶からなる複屈折性膜を形成する。この複屈折性膜を構成する高分子液晶の配向方向としては、透明基板に対して水平で、かつ、入射直線偏光に対して垂直／平行のいずれでもよく、どちらの場合でも高透過とできる。
【００１５】
成膜し配向した高分子液晶による複屈折性膜に、断面が凹凸状の格子を形成する。格子を形成する手段としては、フォトリソグラフィよるエッチング方式や、格子形状を有する金型によるプレス方式などが使用できる。
【００１６】
この際、格子を複屈折性膜に形成したため、格子方向が、高分子液晶の配向方向および入射直線偏光方向によって制約を受けないので、任意の方向を選択でき、高分子液晶による複屈折性膜における屈折率楕円体の屈折率長軸方向に対して平行でも垂直でもない方向とすることができる。また、回折素子を複数の領域に分け、各領域について方向の異なる格子を形成することもできる。
【００１７】
形成された格子の凹凸部には等方性媒体を充填する。等方性媒体の屈折率は、入射直線偏光方向と複屈折性膜を構成する高分子液晶の配向方向との関係によって決まる。例えば、入射直線偏光と高分子液晶の配向方向とを垂直とした場合には、高分子液晶の常光屈折率と屈折率のほぼ等しい等方性媒体にて凹部を充填し、また、入射直線偏光と高分子液晶の配向方向とを平行とした場合には、高分子液晶の異常光屈折率と屈折率のほぼ等しい等方性媒体にて凹部を充填する。充填する等方性材料としては、光硬化型のポリマー、熱硬化型のポリマーなどが使用でき、例えばアクリル系紫外線硬化型接着剤などが使用できる。
【００１８】
等方性媒体の充填時に、回折素子全体の透過波面歪みを抑制するためには低反射コートを施したカバーガラスなどで挟み込んで硬化させる方法が容易である。しかし、回折素子の薄型化、軽量化のために、カバーガラスなしで硬化させる方が望ましい。また、前記回折素子に位相差板部を一体化することができ、光ヘッド装置および回折素子の小型、軽量化のために望ましい。そこで、位相差を有する透明基板として、水晶の透明基板を使用できる。
【００１９】
また、水晶の透明基板の代わりに有機系位相差フィルムを貼り付けたガラス製の透明基板も使用できる。有機系位相差フィルムの代わりに透明基板に対して水平配向された光硬化性を有する高分子液晶などの有機系位相差材料も使用できる。これらの、位相差を有する基板または有機系位相差材料を１／４波長板（直線偏光を円偏光に変換する）として用いる場合は、これらの材料の位相差が使用波長の（ｎ＋１／４）倍となるよう調整し、複屈折性材料の光学軸と入射直線偏光の方向を４５゜の角度をなすように配置する。ここでｎは０以上の整数である。
【００２０】
また、光ヘッド装置が２種類の光源、例えば波長６５０ｎｍの半導体レーザと波長７８０ｎｍの半導体レーザを備え、同一の集光レンズを用いて、ＤＶＤの読み出しとＣＤの読み出しにそれぞれ使い分ける場合、ＤＶＤとＣＤのディスクの厚さの違いによって発生する集光時の収差を改善するために、ＣＤの読み出し時に、外周部の光量を落とす方法が知られており、そのための手段の一つとして波長選択性の開口径制限部を用いることが知られている。本発明においては、この目的のために、２つの光源の波長によって２０％以上透過率の異なる波長選択性の開口径制限部を使用する。
【００２１】
例えば、６５０ｎｍの波長の光に対しては９０％以上を透過し、７８０ｎｍの波長の光に対しては９０％以上を反射するダイクロイックミラーなどの光学多層膜からなる波長選択性の開口径制限部を、有効領域内のＣＤデータの読み出しを行う際に切り捨てられる素子の外周部に一体化して設置でき、これによって、部品点数の削減や、光ヘッド装置の小型軽量化などの効果が得られる。
【００２２】
本発明の回折素子は、従来の回折素子に比べて格子パターンのデザイン自由度も高いうえに、様々な用途の光学部品を積層一体化できるので、軽量化かつ薄型化が可能である。
【００２３】
位相差板および波長選択性の開口径制限部を合わせ持つ回折素子の場合、波長が６５０ｎｍの半導体レーザからのＳ波のレーザ光は、往路（光源側から光記録媒体側へ向かう方向）においては、まず、波長選択性の開口径制限部を透過して、高分子液晶による複屈折性膜の全ての有効領域に入射する。すると、Ｐ波に対応する方向に配向された高分子液晶の凸部の屈折率は１．５（常光屈折率）程度であり、凹部もほぼ屈折率が１．５であるため、レーザ光は回折しないで透過し、位相差を持つ複屈折性の基板または位相差膜によって直線偏光が円偏光へ変換される。
【００２４】
復路（光記録媒体側から光源側へ向かう方向）においては、レーザ光は、光記録媒体で反射されて逆回りの円偏光となって回折素子へ入射し、位相差を持つ複屈折性基板または位相差膜によって、今度は往路と直交する直線偏光に変化されＰ波となる。すると、Ｐ波に対応する方向に配向された高分子液晶によって形成される凸部の屈折率は１．６（異常光屈折率）程度であり、凹部の屈折率はほぼ１．５であるため、回折素子として機能し、光の回折が起こる。
【００２５】
これに対し、波長が７８０ｎｍのレーザ光に対しては、上記の波長選択性の開口径制限部が機能するため、中央部のみが回折素子の回折素子部へ入射する。そして、往路では波長が６５０ｎｍの場合と同様に屈折率差がほとんどないため、光は回折しないで下方へ透過する。ここで、位相差板は、６５０ｎｍの波長に対し、１／４波長板となるように調整されているため７８０ｎｍの波長に対しては約１／５波長板として機能し、結果として光記録媒体からの戻り光は完全なＰ波にはならないが、その大部分は回折する。
【００２６】
また、本発明の位相差板の位相差を６５０ｎｍの波長に対しては５／４波長板となり、７８０ｎｍの波長に対して４／４波長板となるようにすることにより、６５０ｎｍの波長に対しては機能し、７８０ｎｍの波長に対しては機能せずにほとんどが透過する回折素子とすることもできる。この場合、波長７８０ｎｍの光源の前に、別途に、回折素子を設置してもよく、６５０ｎｍの入射偏光方向に対して７８０ｎｍの入射偏光方向を２０〜４５°傾けることにより往路復路ともに回折させてもよい。
【００２７】
本発明の回折素子は、光源側の面に他の格子を形成してもよく、その場合には３ビーム法によるトラッキングエラー検出ができて好ましい。
本発明の回折素子における格子の凹凸部（光学的異方性回折素子）のパターンは、光記録媒体からの戻り光のビーム形状が所望の形状になるように、回折素子面内で曲率をつけたり、格子間隔に分布をつけたりすることもできる。
【００２８】
本発明の回折素子に対しては、半導体レーザ、ＹＡＧレーザなどの固体レーザや、Ｈｅ−Ｎｅレーザなどの気体レーザなど、各種の光源が使用できる。小型軽量化、連続発振、保守点検などの面では半導体レーザを使用するのが好ましい。また、半導体レーザなどの光源部に非線形光学素子を組み込んだ高調波発生装置を使用して、青色レーザなどの短波長レーザを用いると、高密度の光記録および読み取りができる。
【００２９】
本発明の回折素子を搭載した光ヘッド装置を使用する光記録媒体は、光により情報を記録および／または読み取ることができる媒体である。その例としてはＣＤ、ＣＤ−ＲＯＭ、ＤＶＤなどの光ディスク、および、光磁気ディスク、相変化型光ディスクなどが挙げられる。
【実施例】
【００３０】
［実施例１］
実施例１を図１、図２を参照しつつ説明する。ＣＤで使われる６５０ｎｍの波長の光に対して１／４波長の位相差を有する、直径３インチ、厚さ０．４ｍｍの水晶の透明基板２０によって位相差板部２１を構成し、位相差板部２１を構成する水晶の透明基板２０の光記録媒体側の面（図中下側の面）に低反射コート２２を施した。
【００３１】
つぎに、水晶の透明基板２０の光源側の面（図中上側の面）にポリイミド配向膜２３を形成し、ポリイミド配向膜２３に水晶の透明基板２０の光学軸に対して４５゜の方向にラビングを施し、まず、光硬化性を有する高分子液晶の未重合の液体をポリイミド配向膜２３上に滴下した。つぎに、表面にポリイミドを塗布し水晶の透明基板２０のラビング方向と１８０゜のラビングを施した後に離型化処理を施した図示しない対向ガラス基板を用いて、未重合の高分子液晶を水平配向状態にし、さらに、光量６００ｍＪの紫外光を照射して重合を行い、その後、上記の図示しない対向ガラス基板を離型除去して、厚さ３．５μｍの水平配向された高分子液晶による複屈折性膜２４を形成し、さらに光量３０００ｍＪの紫外光を照射して追加重合を行った後、１４０℃にて３０分間アニール（焼鈍）を実施して複屈折性膜２４を完全に固化した。
【００３２】
この、高分子液晶による複屈折性膜２４上に、スパッタ法により保護膜としてＳｉＯ2 膜２５を約５０ｎｍ成膜した。つぎに、ＳｉＯ2 膜２５の上に、フォトリソグラフィにより格子のストライプ方向がラビング方向に対して＋４５゜および−４５゜の角度をなす２つの領域を備えたピッチ６μｍの格子状をしたフォトレジストマスクを形成した。
【００３３】
そして、まず、格子状をしたフォトレジストマスクを利用し、流量１００ＳＣＣＭのＣＦ4 ガスなどのフッ化炭素ガスを用いて、圧力０．２Ｔｏｒｒ、出力３００Ｗの条件下で５分間の反応性イオンエッチングを実施し、ＳｉＯ2 膜２５にフォトレジストマスクの格子パターンを転写し、ＳｉＯ2 の選択マスク２６を作製した。
【００３４】
つぎに、作製したＳｉＯ2 の選択マスク２６を利用し、流量１００ＳＣＣＭのＯ2 ガスを用いて、圧力０．２Ｔｏｒｒ、出力３００Ｗの条件下で２０分間のアッシング（灰化処理）を行い、反応性イオンエッチングで残存したフォトレジストマスクを除去すると同時に、図２に示す深さ３．５μｍ、ピッチ６μｍの格子２７を高分子液晶による複屈折性膜２４に作製した。
【００３５】
その後、今回、複屈折性膜２４に用いた高分子液晶（常光屈折率ｎo ＝１．５、異常光屈折率ｎe ＝１．６）の常光屈折率ｎo と等しい屈折率（ｎ＝１．５）を有する紫外線硬化型の等方性材料２８を充填し、光量５０００ｍＪの紫外光照射により硬化重合させ、回折素子部２９を形成した。
【００３６】
さらに、厚さ０．３ｍｍのガラス基板３０における、中心の２．１８ｍｍφの部分を除いた外周部分に、真空蒸着法およびリフトオフ法で、ＤＶＤで使われる６５０ｎｍの波長の光を９０％以上透過し、かつ、ＣＤで使われる７８０ｎｍの波長の光を９０％以上反射する光学多層膜３１を形成するとともに、中心の２．１８ｍｍφの部分に中央部と外周部分の位相を補正するためのＳｉＯ2 コート３２を形成して波長選択性の開口径制限部３３を構成し、波長選択性の開口径制限部３３のガラス基板３０で等方性材料２８をカバーし、光量５０００ｍＪの紫外光を照射して等方性材料２８を硬化重合させるとともに、波長選択性の開口径制限部３３を一体化し、さらに、波長選択性の開口径制限部３３の上から低反射コート３４を施した。最後に、ダイシングにより切断して、外径４ｍｍ×４ｍｍ、厚さ約０．７ｍｍの回折素子３５を作製した。
【００３７】
こうして作製された回折素子３５の特性を調べたところ、高分子液晶による複屈折性膜２４のラビング方向と垂直な方向の偏光に対しては、図示しない半導体レーザ（光源）からのＤＶＤと同じ波長６５０ｎｍのＳ波（図１において紙面に平行な偏光方向の光）の透過率は９２％であることが確認された。図示しない光記録媒体からの反射光は、位相差板部２１を往復で２度透過することにより、Ｐ波（紙面に垂直な偏光方向の光）となって回折格子部２９へ入射し、その＋１次回折光の回折効率が３８％、−１次回折光の回折効率が３５％で、合計７３％となることが確認された。
【００３８】
したがって、往復効率は、０．９２×０．７３＝６７％となり、実用上充分に高い回折効率が得られた。また、ＣＤと同じ７８０ｎｍのレーザ光に対しては、中央の２．１８ｍｍφの部分のみに対して、往路の透過率が９１％、復路の＋１次回折光の回折効率が１７％、−１次回折光の回折効率が１９％で合計３６％となることが確認された。したがって、往復効率は、０．９１×０．３６＝３３％となった。透過光の波面収差は、回折素子３５の光の入出射面の中心部（直径２ｍｍの円形の範囲）で、０．０２０λrms （自乗平均）以下であった。
【００３９】
［実施例２］
実施例２を図３を参照しつつ説明する。光記録媒体側の面（図中下側の面）に低反射コート３６を施された直径３インチ、厚さ０．５ｍｍのガラス製の透明基板３７を用意し、ガラス製の透明基板３７の光源側の面（図中上側の面）に、ポリイミド配向膜３８を形成し、ポリイミド配向膜３８にラビングによる水平配向処理を施した後、ポリイミド配向膜３８上に未重合の光硬化性の高分子液晶を塗布し、重合後の高分子液晶の屈折率差（Δｎ≒０．１）に基づき、位相差がＤＶＤの使用波長である６５０ｎｍのほぼ５／４波長倍となるように紫外光によって高分子液晶を重合硬化させ、約８μｍの高分子液晶による位相差膜３９を形成し、位相差板部４０を構成した。その後、スパッタ法により高分子液晶による位相差膜３９の上に保護膜として５０ｎｍのＳｉＯ2 膜４１を成膜した。
【００４０】
つぎに、ＳｉＯ2 膜４１の上に、再びポリイミド配向膜４２を形成し、ポリイミド配向膜４２に位相差板部４０の光学軸に対して４５゜の方向に水平配向するようにラビング処理を実施した。そして、ポリイミド配向膜４２上に未重合の光硬化性の高分子液晶を塗布し、図示しない対向ガラス基板を用いて、高分子液晶を水平配向状態にした後、光量６００ｍＪの紫外光を照射して重合を行い、その後、対向ガラス基板を離型除去して、厚さ３．５μｍの水平配向した高分子液晶による複屈折性膜４３を形成し、さらに光量３０００ｍＪの紫外光を照射して追加重合を行った後、１４０℃にて３０分間アニールを実施して、高分子液晶による複屈折性膜４３を完全に固化した。
【００４１】
この高分子液晶による複屈折性膜４３上に、スパッタ法によりＳｉＯ2 膜４４を約５０ｎｍ成膜した。つぎに、フォトリソグラフィにより格子の方向がラビング方向に対して４５゜をなすピッチ６μｍの格子状をしたフォトレジストマスクを形成した。
【００４２】
そして、まず、格子状のフォトレジストマスクを利用し、流量１００ＳＣＣＭのＣＦ4 ガスなどのフッ化ガスを用いて、圧力０．２Ｔｏｒｒ、出力３００Ｗの条件下で５分間の反応性イオンエッチングを実施し、ＳｉＯ2 膜４４にフォトレジストマスクのパターンを転写し、ＳｉＯ2 の選択マスク４５を作製した。
【００４３】
つぎに、作製したＳｉＯ2 の選択マスク４５を利用し、流量１００ＳＣＣＭのＯ2 ガスを用いて、圧力０．２Ｔｏｒｒ、出力３００Ｗの条件下で２０分間のアッシングを行い、反応性イオンエッチングで残存したフォトレジストを除去すると同時に、深さ３．５μｍ、ピッチ６μｍの格子４６を高分子液晶による複屈折性膜４３に作製した。
【００４４】
その後、今回、複屈折性膜４３に用いた高分子液晶（常光屈折率ｎo ＝１．５、異常光屈折率ｎe ＝１．６）の常光屈折率ｎo と等しい屈折率（ｎ＝１．５）を有する紫外線硬化型の等方性材料４７を塗布、充填し、光量５０００ｍＪの紫外光照射により硬化重合させ、回折格子部４８を形成した。そして、等方性材料４７の上から保護膜として５０ｎｍのＳｉＯ2 膜４９を形成し、ＳｉＯ2 膜４９の上に低反射コート５０を施した後、ダイシングにより切断して、外径４ｍｍ×４ｍｍ、厚さ約０．５ｍｍの回折素子５１を作製した。
【００４５】
こうして作製された回折素子５１の特性を調べたところ、回折格子部４８を構成する高分子液晶による複屈折性膜４３のラビング方向と垂直な方向の偏光に対しては、図示しない半導体レーザ（光源）からのＤＶＤと同じ波長６５０ｎｍのＳ波（図１において紙面に平行な偏光方向の光）の透過率は９１％であることが確認された。図示しない光記録媒体からの反射光は、位相差板を往復で２度透過することにより、Ｐ波（紙面に垂直な偏光方向の光）となって回折格子部４８へ入射し、その＋１次回折光の回折効率が３７％、−１次回折光の回折効率が３５％で、合計７２％となることが確認された。
【００４６】
したがって、往復効率は、０．９１×０．７２＝６６％となり、実用上充分に高い回折効率が得られた。透過光の波面収差は、回折素子５１の光の入出射面の中心部（直径２ｍｍの円形の範囲）で、０．０２５λrms （自乗平均）以下であった。
【産業上の利用可能性】
【００４７】
本発明の回折素子によれば、位相差板部を内蔵でき、軽量小型で、かつ、格子方向と入射偏光方向とのなす角度に制約がなく、工業的生産が可能で高い光利用効率を有する回折素子を提供できるという優れた効果を奏する。
【図面の簡単な説明】
【００４８】
【図１】実施例１の回折素子の側方断面図。
【図２】図１のＩＩ−ＩＩ矢視図。
【図３】実施例２の回折素子の側方断面図。
【図４】ドライエッチング法を用いた回折素子またはホログラム素子の側方断面図。
【図５】偏光性回折素子を示す側方断面図。
【符号の説明】
【００４９】
２０、３７：透明基板
２４、４３：複屈折性膜
２７、４６：格子
２８、４７：等方性材料
３３：波長選択性の開口径制限部
３９：位相差膜
【図１】
2007179069.tif 000003
【図２】
2007179069.tif 000004
【図３】
2007179069.tif 000005
【図４】
2007179069.tif 000006
【図５】
2007179069.tif 000007